【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
無線アクセスネットワークのために定義された複数のサブキャリアを有するスケーラブルな数秘学を有する変調方式を利用する前記無線アクセスネットワークのためのタイミングアドバンスを構成するタイミングアドバンスコマンドを提供するための基地局による方法であって、前記タイミングアドバンスコマンドは、前記無線アクセスネットワークによって使用される数秘学に適応するように定義され、前記方法は、
前記無線アクセスネットワークと通信しているユーザ機器（ＵＥ）のためのタイミングアドバンスステップサイズを決定すること、ここにおいて、前記タイミングアドバンスステップサイズは、前記無線アクセスネットワークのために定義された２つ以上のサブキャリア間隔のグループのために定義され、前記サブキャリア間隔のグループは、それぞれ異なるタイミングアドバンスステップサイズと各々関連付けられたサブキャリア間隔の複数のグループのうちの１つである、と、
前記ＵＥに関係する初期アクセス手順の間に、または前記ＵＥが前記無線アクセスネットワーク内で接続状態にある間に、前記ＵＥに前記タイミングアドバンスコマンドを送信することと
を備える、方法。
【請求項２】
前記サブキャリア間隔のグループは、１５ｋＨｚ、３０ｋＨｚ、および６０ｋＨｚのサブキャリア間隔を含む、
請求項１に記載の方法。
【請求項３】
前記サブキャリア間隔のグループは、１２０ｋＨｚおよび２４０ｋＨｚのサブキャリア間隔を含む、
請求項１に記載の方法。
【請求項４】
前記無線アクセスネットワークのためにサイクリックプレフィックス長のグループが定義され、前記タイミングアドバンス構成を定義することは、
サイクリックプレフィックス長の前記グループ内のサイクリックプレフィックス長ごとにタイミングアドバンスステップサイズを構成することを備える、
請求項１に記載の方法。
【請求項５】
前記タイミングアドバンス構成を定義することは、
前記タイミングアドバンスパラメータ内で前記ＵＥに送信されるタイミングアドバンス持続時間を表すために使用されるビット数を構成することを備える、
請求項１に記載の方法。
【請求項６】
前記タイミングアドバンス構成を定義することは、
前記無線アクセスネットワークのために定義された１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、最大タイミングアドバンス持続時間、または所望のタイミングアドバンス粒度を有する前記無線アクセスネットワークの範囲を取得するために選択される、
請求項５に記載の方法。
【請求項７】
前記所望のタイミングアドバンス粒度は、ハイブリッド自動再送要求（ＨＡＲＱ）タイムラインによって決定される、
請求項４に記載の方法。
【請求項８】
前記タイミングアドバンス構成を定義することは、
前記無線アクセスネットワークのために定義された前記１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、ハイブリッド自動再送要求（ＨＡＲＱ）のための前記無線アクセスネットワークによって定義された最大タイミングアドバンス持続時間を取得するために選択される、
請求項５に記載の方法。
【請求項９】
前記タイミングアドバンス構成を定義することは、
前記無線アクセスネットワークのために定義された前記１つまたは複数のサブキャリア間隔のためのタイミングアドバンスステップサイズに基づいて、タイミングアドバンス持続時間を表すために使用されるビット数を構成すること
を備える、
請求項１に記載の方法。
【請求項１０】
前記タイミングアドバンス構成を定義することは、
前記ＵＥが拡張モバイルブロードバンド（ｅＭＢＢ）のＵＥとして動作するように構成されるときのタイミングアドバンス持続時間を表すために使用される第１のビット数を構成することと、
前記ＵＥが超高信頼低遅延通信（ＵＲＬＬＣ）のＵＥとして動作するように構成されるときの前記タイミングアドバンス持続時間を表すために使用される第２のビット数を構成することと
を備える、請求項１に記載の方法。
【請求項１１】
前記タイミングアドバンス構成を定義することは、
前記ＵＥが拡張モバイルブロードバンド（ｅＭＢＢ）のＵＥとして動作するように構成されるときの第１のタイミングアドバンスステップサイズを構成することと、
前記ＵＥが超高信頼低遅延通信（ＵＲＬＬＣ）のＵＥとして動作するように構成されるときの第２のタイミングアドバンスステップサイズを構成することと
を備える、請求項１に記載の方法。
【請求項１２】
前記タイミングアドバンス構成を定義することは、
前記無線アクセスネットワークによって使用される周波数範囲に基づいて、サブキャリア間隔のための１つまたは複数のタイミングアドバンスステップサイズを構成することを備え、前記無線アクセスネットワークが、サブ６ＧＨｚ周波数およびミリメートル波に関連付けられた帯域幅を使用するように構成可能である、
請求項１に記載の方法。
【請求項１３】
請求項１乃至１２のいずれか1項に記載の前記方法を実行するための手段を備える、ワイヤレス通信のための装置。
【請求項１４】
請求項１乃至１２のいずれか１項に記載の前記方法を実行することをコンピュータに行わせるためのコードを備える、コンピュータ可読媒体。
【手続補正２】
【補正対象書類名】明細書
【補正対象項目名】０１３８
【補正方法】変更
【補正の内容】
【０１３８】
[0147]開示された方法におけるステップの特定の順序または階層は、例示的なプロセスの一例であることを理解されたい。設計上の選好に基づいて、方法におけるステップの特定の順序または階層は、並べ替えられてよいことを理解されたい。添付の方法クレームは、様々なステップの要素を例示的な順序で提示し、添付の方法クレーム内で特に列挙されていない限り、提示された特定の順序または階層に限定されるものではない。
以下に、本願出願の当初の特許請求の範囲に記載された発明を付記する。
［Ｃ１］
タイミングアドバンスを構成するための方法であって、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
を備える、方法。
［Ｃ２］
前記タイミングアドバンス構成を定義することは、
前記無線アクセスネットワークのために定義された１つまたは複数のサブキャリア間隔のためのタイミングアドバンスステップサイズを構成することを備える、
［Ｃ１］に記載の方法。
［Ｃ３］
前記タイミングアドバンス構成を定義することは、
前記無線アクセスネットワークのために定義されたすべてのサブキャリア間隔のためのタイミングアドバンスステップサイズを構成することを備える、
［Ｃ１］に記載の方法。
［Ｃ４］
前記無線アクセスネットワークのためにサブキャリア間隔のグループが定義され、前記タイミングアドバンス構成を定義することは、
前記サブキャリア間隔のグループ内のサブキャリア間隔のためのタイミングアドバンスステップサイズを構成することを備える、
［Ｃ１］に記載の方法。
［Ｃ５］
前記サブキャリア間隔のグループは、１５ｋＨｚ、３０ｋＨｚ、および６０ｋＨｚのサブキャリア間隔を含む、
［Ｃ４］に記載の方法。
［Ｃ６］
前記サブキャリア間隔のグループは、１２０ｋＨｚおよび２４０ｋＨｚのサブキャリア間隔を含む、
［Ｃ４］に記載の方法。
［Ｃ７］
前記無線アクセスネットワークのためにサイクリックプレフィックス長のグループが定義され、前記タイミングアドバンス構成を定義することは、
サイクリックプレフィックス長の前記グループ内のサイクリックプレフィックス長ごとにタイミングアドバンスステップサイズを構成することを備える、
［Ｃ１］に記載の方法。
［Ｃ８］
前記タイミングアドバンス構成を定義することは、
前記タイミングアドバンスパラメータ内で前記ＵＥに送信されるタイミングアドバンス持続時間を表すために使用されるビット数を構成することを備える、
［Ｃ１］に記載の方法。
［Ｃ９］
前記タイミングアドバンス構成を定義することは、
前記無線アクセスネットワークのために定義された１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、最大タイミングアドバンス持続時間、または所望のタイミングアドバンス粒度を有する前記無線アクセスネットワークの範囲を取得するために選択される、
［Ｃ８］に記載の方法。
［Ｃ１０］
前記所望のタイミングアドバンス粒度は、ハイブリッド自動再送要求（ＨＡＲＱ）タイムラインによって決定される、
［Ｃ９］に記載の方法。
［Ｃ１１］
前記タイミングアドバンス構成を定義することは、
前記無線アクセスネットワークのために定義された１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、ハイブリッド自動再送要求（ＨＡＲＱ）のための前記無線アクセスネットワークによって定義された最大タイミングアドバンス持続時間を取得するために選択される、
［Ｃ８］に記載の方法。
［Ｃ１２］
前記タイミングアドバンス構成を定義することは、
前記無線アクセスネットワークのために定義された１つまたは複数のサブキャリア間隔のためのタイミングアドバンスステップサイズに基づいて、タイミングアドバンス持続時間を表すために使用されるビット数を構成すること
を備える、
［Ｃ１］に記載の方法。
［Ｃ１３］
前記タイミングアドバンス構成を定義することは、
前記ＵＥが拡張モバイルブロードバンド（ｅＭＢＢ）のＵＥとして動作するように構成されるときのタイミングアドバンス持続時間を表すために使用される第１のビット数を構成することと、
前記ＵＥが超高信頼低遅延通信（ＵＲＬＬＣ）のＵＥとして動作するように構成されるときの前記タイミングアドバンス持続時間を表すために使用される第２のビット数を構成することと
を備える、［Ｃ１］に記載の方法。
［Ｃ１４］
前記タイミングアドバンス構成を定義することは、
前記ＵＥが拡張モバイルブロードバンド（ｅＭＢＢ）のＵＥとして動作するように構成されるときの第１のタイミングアドバンスステップサイズを構成することと、
前記ＵＥが超高信頼低遅延通信（ＵＲＬＬＣ）のＵＥとして動作するように構成されるときの第２のタイミングアドバンスステップサイズを構成することと
を備える、［Ｃ１］に記載の方法。
［Ｃ１５］
前記タイミングアドバンス構成を定義することは、
前記無線アクセスネットワークによって使用される周波数範囲に基づいて、サブキャリア間隔のための１つまたは複数のタイミングアドバンスステップサイズを構成することを備え、前記無線アクセスネットワークが、サブ６周波数およびミリメートル波に関連付けられた帯域幅を使用するように構成可能である、
［Ｃ１］に記載の方法。
［Ｃ１６］
ワイヤレス通信のための装置であって、
無線アクセスネットワークによって使用される数秘学に適応するようにタイミングアドバンス構成を定義することに適合された、スケーラブルな数秘学を有する変調方式を利用する前記無線アクセスネットワークのための前記タイミングアドバンス構成を定義するための手段と、
前記無線アクセスネットワークと通信しているユーザ機器（ＵＥ）のための前記タイミングアドバンス構成と一致するタイミングアドバンスパラメータを決定するための手段と、
前記ＵＥに関係する初期アクセス手順の間に、または前記ＵＥが前記無線アクセスネットワーク内で接続状態にある間に、前記ＵＥに前記タイミングアドバンスパラメータを送信するための手段と
を備える、装置。
［Ｃ１７］
前記タイミングアドバンス構成を前記定義するための手段は、
前記無線アクセスネットワークのために定義された１つまたは複数のサブキャリア間隔のためのタイミングアドバンスステップサイズを構成することに適合される、
［Ｃ１６］に記載の装置。
［Ｃ１８］
前記タイミングアドバンス構成を前記定義するための手段は、
前記無線アクセスネットワークのために定義されたすべてのサブキャリア間隔のためのタイミングアドバンスステップサイズを構成することに適合される、
［Ｃ１６］に記載の装置。
［Ｃ１９］
前記無線アクセスネットワークのためにサブキャリア間隔のグループが定義され、前記タイミングアドバンス構成を前記定義するための手段は、
前記サブキャリア間隔のグループ内のサブキャリア間隔のためのタイミングアドバンスステップサイズを構成することに適合される、
［Ｃ１６］に記載の装置。
［Ｃ２０］
前記無線アクセスネットワークのためにサイクリックプレフィックス長のグループが定義され、前記タイミングアドバンス構成を前記定義するための手段は、
サイクリックプレフィックス長の前記グループ内のサイクリックプレフィックス長ごとにタイミングアドバンスステップサイズを構成することに適合される、
［Ｃ１６］に記載の装置。
［Ｃ２１］
前記タイミングアドバンス構成を前記定義するための手段は、
前記無線アクセスネットワークのために定義された１つまたは複数のサブキャリア間隔のためのタイミングアドバンスステップサイズに基づいて、前記タイミングアドバンスパラメータ内で前記ＵＥに送信されるタイミングアドバンス持続時間を表すために使用されるビット数を構成することに適合される、
［Ｃ１６］に記載の装置。
［Ｃ２２］
前記タイミングアドバンス構成を前記定義するための手段は、
前記無線アクセスネットワークのために定義された１つまたは複数のサブキャリア間隔のためのタイミングアドバンスステップサイズを構成することに適合され、
前記タイミングアドバンスステップサイズ、および前記タイミングアドバンス持続時間を表すために使用される前記ビット数は、最大タイミングアドバンス持続時間、または所望のタイミングアドバンス粒度を有する前記無線アクセスネットワークの範囲を取得するために選択される、
［Ｃ２１］に記載の装置。
［Ｃ２３］
前記タイミングアドバンス構成を前記定義するための手段は、
前記無線アクセスネットワークのために定義された１つまたは複数のサブキャリア間隔のためのタイミングアドバンスステップサイズを構成することに適合され、
前記タイミングアドバンスステップサイズ、および前記タイミングアドバンス持続時間を表すために使用される前記ビット数は、ハイブリッド自動再送要求（ＨＡＲＱ）のための前記無線アクセスネットワークによって定義された最大タイミングアドバンス持続時間を取得するために選択される、
［Ｃ２１］に記載の装置。
［Ｃ２４］
前記タイミングアドバンス構成を前記定義するための手段は、
前記ＵＥが拡張モバイルブロードバンド（ｅＭＢＢ）のＵＥとして動作するように構成されるときのタイミングアドバンス持続時間を表すために使用される第１のビット数を構成することと、
前記ＵＥが超高信頼低遅延通信（ＵＲＬＬＣ）のＵＥとして動作するように構成されるときの前記タイミングアドバンス持続時間を表すために使用される第２のビット数を構成することと
に適合される、［Ｃ１６］に記載の装置。
［Ｃ２５］
前記タイミングアドバンス構成を前記定義するための手段は、
前記ＵＥが拡張モバイルブロードバンド（ｅＭＢＢ）のＵＥとして動作するように構成されるときの第１のタイミングアドバンスステップサイズを構成することと、
前記ＵＥが超高信頼低遅延通信（ＵＲＬＬＣ）のＵＥとして動作するように構成されるときの第２のタイミングアドバンスステップサイズを構成することと
に適合される、［Ｃ１６］に記載の装置。
［Ｃ２６］
前記タイミングアドバンス構成を前記定義するための手段は、
前記無線アクセスネットワークによって使用される周波数範囲に基づいて、サブキャリア間隔のための１つまたは複数のタイミングアドバンスステップサイズを構成することに適合され、前記無線アクセスネットワークは、サブ６周波数およびミリメートル波に関連付けられた帯域幅を使用するように構成可能である、
［Ｃ１６］に記載の装置。
［Ｃ２７］
ワイヤレス通信のための装置であって、
少なくとも１つのプロセッサと、
前記少なくとも１つのプロセッサに通信可能に結合されたトランシーバと、
前記少なくとも１つのプロセッサに通信可能に結合されたメモリと
を備え、前記少なくとも１つは、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
を行うように構成される、装置。
［Ｃ２８］
前記無線アクセスネットワークのためにサイクリックプレフィックス長のグループが定義され、前記少なくとも１つのプロセッサは、
サイクリックプレフィックス長の前記グループ内のサイクリックプレフィックス長ごとにタイミングアドバンスステップサイズを構成することを行うように構成される、
［Ｃ２７］に記載の装置。
［Ｃ２９］
前記少なくとも１つのプロセッサは、
前記無線アクセスネットワークのために定義された１つまたは複数のサブキャリア間隔のためのタイミングアドバンスステップサイズを構成することを行うように構成され、
前記タイミングアドバンスステップサイズ、およびタイミングアドバンス持続時間を表すために使用されるビット数は、最大タイミングアドバンス持続時間、または所望のタイミングアドバンス粒度を有する前記無線アクセスネットワークの範囲を取得するために選択される、
［Ｃ２７］に記載の装置。
［Ｃ３０］
コンピュータ実行可能コードを記憶するコンピュータ可読媒体であって、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
をコンピュータに行わせるためのコードを備える、コンピュータ可読媒体。